(57)【要約】【課題】シリーズ番組の録画状況についての把握を容易に行うことができる動画像録画装置、録画情報管理方法、及び録画情報管理プログラムを提供すること【解決手段】番組データを録画する動画像録画装置１は、シリーズ番組録画判定部３６と、通知部３７と、を備える。シリーズ番組録画判定部３６は、電子番組表情報に基づいて、互いに関連する番組であるシリーズ番組についての録画状況を判定する。通知部３７は、シリーズ番組録画判定部３６の判定に基づいて、ユーザに対してシリーズ番組の録画状況について通知する。【選択図】図１
2012080201.tif 000002
【特許請求の範囲】
【請求項１】
電子番組表情報と関連付けられた番組データを録画する動画像録画装置であって、
前記電子番組表情報に基づいて、互いに関連する番組であるシリーズ番組についての録画状況を判定する録画状況判定手段と、
前記録画状況判定手段の判定に基づいて、ユーザに対して前記シリーズ番組の録画状況について通知する通知手段と、を備える動画像録画装置。
【請求項２】
前記録画状況判定手段は、前記シリーズ番組の全放送回の録画が終了したか否かを判定し、
前記通知手段は、前記シリーズ番組の全放送回の録画が終了したか否かをユーザに通知することを特徴とする請求項１に記載の動画像録画装置。
【請求項３】
前記シリーズ番組の録画履歴を格納するシリーズ番組録画履歴テーブルをさらに備えることを特徴とする請求項１または請求項２に記載の動画像録画装置。
【請求項４】
前記シリーズ番組録画履歴テーブルには、前記シリーズ番組の最終回の放送回であるか否かの情報が格納されることを特徴とする請求項３に記載の動画像録画装置。
【請求項５】
前記通知部は、表示画面への表示、または電子メールの送信により前記通知を行うことを特徴する請求項１乃至請求項４のいずれか１項に記載の動画像録画装置。
【請求項６】
前記通知手段による通知頻度、及び通知方法の少なくとも一方の設定情報を格納する通知設定記憶部をさらに備えることを特徴とする請求項１乃至請求項５のいずれか１項に記載の動画像録画装置。
【請求項７】
電子番組表情報と関連付けられて録画した番組データを管理する録画情報管理方法であって、
前記電子番組表情報に基づいて、互いに関連する番組であるシリーズ番組についての録画状況を判定し、
前記判定に基づいて、ユーザに対して前記シリーズ番組の録画状況について通知する、動画像録画方法。
【請求項８】
電子番組表情報と関連付けられて録画した番組データを管理する処理をコンピュータに実行させるためのプログラムであって、
前記処理は、前記電子番組表情報に基づいて、互いに関連する番組であるシリーズ番組についての録画状況を判定し、
前記判定に基づいて、ユーザに対して前記シリーズ番組の録画状況について通知する、録画情報管理プログラム。
【発明の詳細な説明】
【技術分野】
【０００１】
本発明は動画像録画装置、録画情報管理方法、及び録画情報管理プログラムに関し、特にテレビ番組を対象とした動画像録画装置、録画情報管理方法、及び録画情報管理プログラムに関する。
【背景技術】
【０００２】
近年、デジタル放送を録画再生する動画像録画装置に用いられる記録媒体の記録容量が増加している。ここで記録媒体とは、動画像録画装置に内蔵されたハードディスクドライブ等の記録媒体と、動画像録画装置に外部から挿入されるＤＶＤ等の二次記録媒体と、を含む。記録媒体の記録容量の増加により、動画像録画装置では多くの番組を録画可能になっている。これに伴い動画像録画装置では、毎週同じ時間帯に放送される連続ドラマ番組、連続して放送される娯楽番組やアニメーション番組、等のいわゆるシリーズ番組を初回から最終回までを、内蔵する記録媒体に全話録画することが可能となっている。また、動画像録画装置において録画したシリーズ番組の全放送回をＤＶＤ等の二次記録媒体に保存しておくことも可能となっている。
【０００３】
特許文献１には、あるシリーズ番組の１放送回を録画予約する際に、以降の放送回の予約設定も特別な操作を要せずに行う放送記録装置が開示されている。当該放送記録装置では、ユーザは、リモートコントローラ上のシリーズ予約を指示するボタンをクリックする等の簡単な操作のみによりシリーズ番組の予約を行うことができる。
【０００４】
特許文献２には、シリーズ番組を途中から録画し始めた場合であっても、関連番組（たとえば再放送番組）が将来放送される場合に、当該関連番組を録画する録画予約装置について開示されている。
【先行技術文献】
【特許文献】
【０００５】
【特許文献１】特開２００７−１０４４２０号公報
【特許文献２】特開２００２−５７９６９号公報
【発明の概要】
【発明が解決しようとする課題】
【０００６】
しかしながら、上述の技術によっては、シリーズ番組の予約録画を行うことはできるが、シリーズ番組の録画状況をユーザが把握する作業が煩雑である。例えば、特許文献２に記載の録画予約装置は、録画予約の処理を行うのみである。そのため、ユーザがシリーズ番組をどこまで録画しているかを把握するためには、リモートコントローラの操作等により録画した番組の確認を逐次行わなければならない。さらに、ユーザがシリーズ番組の初回から最終話までを一度に観たい場合であっても、シリーズ番組の最終話まで全ての放送回がそろっているかを認識することができない。
【０００７】
すなわち、前述の技術によっては、シリーズ番組の録画状況についての把握が困難であるという問題があった。
【課題を解決するための手段】
【０００８】
本発明にかかる動画像録画装置の一態様は、
電子番組表情報と関連付けられた番組データを録画する動画像録画装置であって、
前記電子番組表情報に基づいて、互いに関連する番組であるシリーズ番組についての録画状況を判定する録画状況判定手段と、
前記録画状況判定手段の判定に基づいて、ユーザに対して前記シリーズ番組の録画状況について通知する通知手段と、を備えるものである。
【０００９】
本発明にかかる録画情報管理方法の一態様は、
電子番組表情報と関連付けられて録画した番組データを管理する録画情報管理方法であって、
前記電子番組表情報に基づいて、互いに関連する番組であるシリーズ番組についての録画状況を判定し、
前記判定に基づいて、ユーザに対して前記シリーズ番組の録画状況について通知する、ものである。
【００１０】
本発明にかかる録画情報管理プログラムの一態様は、
電子番組表情報と関連付けられて録画した番組データを管理する処理をコンピュータに実行させるためのプログラムであって、
前記処理は、前記電子番組表情報に基づいて、互いに関連する番組であるシリーズ番組についての録画状況を判定し、
前記判定に基づいて、ユーザに対して前記シリーズ番組の録画状況について通知する、ものである。
【００１１】
本発明においては、シリーズ番組についての録画状況を判定し、当該判定結果をユーザに通知するため、ユーザはシリーズ番組の録画状況を容易に把握できる。
【発明の効果】
【００１２】
本発明によれば、シリーズ番組の録画状況についての把握を容易に行うことができる動画像録画装置、録画情報管理方法、及び録画情報管理プログラムを提供することができる。
【図面の簡単な説明】
【００１３】
【図１】実施の形態１にかかる動画像録画装置の構成を示すブロック図である。
【図２】実施の形態１にかかる予約テーブルに格納されるデータ例である。
【図３】実施の形態１にかかるシリーズ番組予約テーブルに格納されるデータ例である。
【図４】実施の形態１にかかるシリーズ番組録画履歴テーブルのデータ例である。
【図５】実施の形態１にかかる通知設定記憶部に格納されるデータ例である。
【図６】実施の形態１にかかる動画像録画装置のシリーズ番組の録画予約処理のフローチャートである。
【図７】実施の形態１にかかる動画像録画装置のシリーズ番組に関する通知処理のフローチャートである。
【発明を実施するための形態】
【００１４】
＜実施の形態１＞
以下、図面を参照して本発明の実施の形態について説明する。図１は、本実施の形態にかかる動画像録画装置の構成を示すブロック図である。動画像録画装置１は、放送受信部１０と、メインコントローラ２０と、録画処理部３０と、記憶部４０と、を備える。動画像録画装置１は、リモートコントローラ１００からの入力を受信可能である。さらに、動画像記録装置は、液晶ディスプレイ等の表示部１１０と接続されている。
【００１５】
放送受信部１０は、デジタルアンテナから入力される放送信号を処理する処理部である。放送受信部１０は、復調部１１と、分離部１２と、切り替え部１３と、を備える。復調部１１は、デジタルアンテナから入力される放送信号を復調し、復調したデータを分離部１２に供給する。
【００１６】
分離部１２は、復調部１１から供給されたデータを、動画像データと、それらのデータの電子番組表（ＥＰＧ：Electronic Program Guide）データと、に分離する処理部である。分離部１２は、抽出した電子番組表データをＥＰＧ処理部３１に供給する。ここで、電子番組表データとは、当該動画像データに関係するデータであり、例えば番組タイトル、番組放送時間、出演者情報、放送局等の様々なデータが含まれる。さらに、電子番組表データには、シリーズ番組（例えば連続ドラマや連続して放送される娯楽番組）であるか否かを示す情報、シリーズ番組の放送回の情報、シリーズ番組の最終回に該当するかを示す情報、等をも含む。詳細は、図２、図３を用いて後述する。
【００１７】
切り替え部１３は、表示部１１０の表示を切り替える処理部である。詳細には、切り替え部１３は、表示部１１０に表示する画像を、受信したデジタル放送信号の動画像データ、電子番組表データ、録画済みの動画像データ等から選択する。メインコントローラ２０は、切り替え部１３の選択処理を制御する処理部である。当該制御は、ユーザがリモートコントローラ１００を介して入力した指示に応じて行われる。
【００１８】
録画処理部３０は、ＥＰＧ（Electronic Program Guide）処理部３１と、計時部３２と、予約処理部３３と、シリーズ番組処理部３４と、録画部３５と、シリーズ番組録画判定部３６と、通知部３７と、を備える。
【００１９】
ＥＰＧ処理部３１は、分離部１２からの電子番組表データの入力を受け付ける処理部である。なお、ＥＰＧ処理部３１は、分離部１２から電子番組表データを受け取ることに限定されない。たとえば、ＥＰＧ処理部３１は、インターネット経由により適宜電子番組表データを取得してもよい。
【００２０】
計時部３２は、現在時刻の情報を更新、保持する処理部である。計時部３２に格納された情報は、録画処理を行う際に参照される。
【００２１】
ユーザは、電子番組表データを画面表示させ、当該画面から録画予約をする番組を選択する。予約処理部３３は、ユーザがリモートコントローラ１００を介して入力した録画予約情報がシリーズ番組に関するものでない場合に、当該録画予約情報を予約テーブル４１に格納する処理部である。予約処理部３３は、一回の録画予約処理により、図２に示すような電子番組表データに準拠した予約データを予約テーブル４１に格納する。
【００２２】
図２に示すように、予約データには、放送種別、放送局、放送年月日、開始時間、終了時間、番組タイトル、番組サブタイトル、ジャンルコード、サブジャンルコード、番組詳細、シリーズタイトル、単発番組／シリーズ番組、最終回識別子、放送回、というデータ項目が設けられている。１番組毎に図２に示す予約データが予約テーブル４１に格納される。
【００２３】
シリーズタイトルには、当該番組がシリーズ番組である場合にそのタイトルが設定される。単発番組／シリーズ番組には、当該番組が単発番組であるか、シリーズ番組であるかが設定される。最終回識別子には、シリーズ番組の最終回である場合には"○"、最終回ではない場合には"×"が設定される。放送回には、当該番組がシリーズ番組である場合にその放送回が設定される。
【００２４】
ここで、予約にかかる番組がシリーズ番組でない場合、図２に示すようにシリーズタイトル、最終回識別子、放送回、というデータ項目は空欄となる。
【００２５】
なお、ユーザによる録画予約は、電子番組表データからの選択のみならず、ユーザが予め設定したキーワードに合致する番組を電子番組表データから検索することにより行ってもよい。
【００２６】
シリーズ番組処理部３４は、ユーザがリモートコントローラ１００を介して入力した録画予約情報がシリーズ番組に関するものである場合に、当該録画予約情報をシリーズ番組予約テーブル４２に格納する処理部である。さらに、シリーズ番組処理部３４は、シリーズ番組予約テーブル４２及びシリーズ番組録画履歴テーブル４３を参照し、予約にかかる当該シリーズ番組の他の放送回が録画、または録画予約しているかを判定する。シリーズ番組処理部３４は、他の放送回について録画も録画予約もされていない場合に、電子番組表データを参照して新たな予約情報をシリーズ番組予約テーブル４２に登録する。
【００２７】
シリーズ番組予約テーブル４２に格納される予約情報のデータ例を図３に示す。当該予約情報は、電子番組表データに準拠したデータである。当該予約情報は、シリーズタイトル、最終回識別子、放送回、というデータ項目にデータが格納される構成である。１番組毎に図３に示す予約データがシリーズ番組予約テーブル４１に格納される。
【００２８】
シリーズ番組録画履歴テーブル４３のデータ例を図４に示す。図示するように、シリーズ番組録画履歴テーブル４３は、シリーズ毎に作成されるテーブルである。シリーズ番組録画履歴テーブル４３には、録画済みのシリーズ番組の情報が格納される。シリーズ番組録画履歴テーブル４３には、番組タイトル、放送回、最終回識別子というデータが格納される。ここで最終回識別子とは、シリーズ番組の最終回である場合にはその識別子（図４の例では○）が格納されるデータ項目である。本例では、"ＸＸＸＸ"シリーズについて第４回〜第７回までの録画が終了していることを示している。さらに、第７回が最終回であることを示している。
【００２９】
上述の例では、シリーズ番組処理部３４は、"ＸＸＸＸ"シリーズの第１回〜第３回の再放送番組の予約情報を電子番組表データから抽出し、シリーズ番組予約テーブル４２に登録する。
【００３０】
録画部３５は、計時部３２の時刻情報、予約テーブル４１、及びシリーズ番組予約テーブル４２を参照し、デジタル放送番組の録画を行う処理部である。録画部３５は、録画した番組をハードディスク等に記録する。録画部３５は、録画終了時に当該録画した番組にかかる情報を予約テーブル４１またはシリーズ番組予約テーブル４２から削除する。さらに、録画部３５は、録画した番組がシリーズ番組である場合に、録画した放送回の情報をシリーズ番組録画履歴テーブル４３に格納する。さらにまた、録画部３５は、録画した番組がシリーズ番組である場合に当該シリーズ番組の情報（シリーズ番組の番組タイトル、放送回等）をシリーズ番組録画判定部３６に通知する。例えば録画部３５は、"ＸＸＸＸシリーズ"の第５回を録画したことをシリーズ番組録画判定部３６に通知する。
【００３１】
シリーズ番組録画判定部３６は、シリーズ番組予約テーブル４２、シリーズ番組録画履歴テーブル４３を参照して、通知を受けたシリーズ番組の録画状況を判定する処理部である。詳細には、シリーズ番組録画判定部３６は、通知を受けたシリーズ番組の全話が録画済みであるか、または録画できていない放送回があるか、今後録画を行う放送回があるか、等という録画状況を判定する。ここで、シリーズ番組予約テーブル４２及びシリーズ番組録画履歴テーブル４３は、電子番組表データに準拠したデータを保持するため、シリーズ番組録画判定部３６は、電子番組表データに基づいて通知を受けたシリーズ番組の録画状況を判定することとなる。シリーズ番組録画判定部３６は、判定結果を通知部３７に通知する。
【００３２】
例えば、シリーズ番組録画判定部３６は、"ＸＸＸＸ"シリーズのシリーズ番組録画履歴テーブル４３から最終回識別子に"○"が設定されたデータ列を検索し、当該データ列の放送回の情報（例えば"７"）を抽出する。そして、シリーズ番組録画判定部３６は、当該放送回の情報と同数のデータ列がシリーズ番組録画履歴テーブル４３内に存在する場合には、"ＸＸＸＸ"シリーズの全話が録画済みと判定する。そしてシリーズ番組録画判定部３６は、"ＸＸＸＸ"シリーズの全話が録画済みであることを通知部３７に通知する。
【００３３】
通知部３７は、シリーズ番組の録画状況をユーザに通知する処理部である。通知部３７による通知は、例えば表示器１１０上に録画状況を表示することにより行ってもよいし、録画状況をユーザの電子メールアドレス宛に電子メールを送信することにより通知してもよい。すなわち、通知部３７は、任意の方法によりシリーズ番組の録画状況をユーザに通知すればよい。通知部３７による通知手段は、ユーザがリモートコントローラ１００を用いて指定することが可能である。
【００３４】
例えば、通知部３７は、録画状況として"ＸＸＸＸ"シリーズの第７回中全ての放送回の録画が終了したという情報、"ＸＸＸＸ"シリーズの第７回のうち第１回と第２回の放送回のみ録画し、第３〜７回の放送回については録画予約済みであるという情報、等をユーザに通知する。
【００３５】
通知部３７による通知のタイミングは、ユーザがリモートコントローラ１００を用いて指定することが可能である。例えば、シリーズ番組の全放送回の録画が終了した際に通知するように設定してよい。この場合、シリーズ番組の全放送回をまとめて視聴するような利用が容易になる。また、通知部３７が１回分の放送回の録画処理が終わる毎に通知を行うように設定することも可能である。
【００３６】
通知部３７による通知設定は、通知設定記憶部４４に格納される。図５に通知設定記憶部４４に格納されるデータ例を示す。本例では、"ＸＸＸＸ"シリーズについては毎放送回の録画終了時にメールによりユーザに通知することが設定され、"ＹＹＹＹ"シリーズについては全放送回の録画終了時に画面表示によりユーザに通知することが設定されている。
【００３７】
通知部３７は、通知設定記憶部４４の設定を参照し、シリーズ番組の録画状況をユーザに通知する。なお、初期設定では、シリーズ番組の最終回が終了した時点でユーザに通知する。以下の説明では、初期設定のまま設定が変更されていない、すなわちシリーズ番組の最終回が終了した時点にユーザに通知を行うものとして説明を行う。
【００３８】
記録部４０は、予約テーブル４１と、シリーズ番組予約テーブル４２と、シリーズ番組録画履歴テーブル４３と、通知設定記憶部４４と、を備える。記録部４０は、いわゆる記録媒体であり、例えば動画像録画装置１内のハードディスクである。
【００３９】
予約テーブル４１は、図２に示すような予約データを格納する格納部である。予約テーブル４１には、シリーズ番組以外の番組（単発番組）の予約情報が格納される。シリーズ番組予約テーブル４２は、図３に示すような予約データを格納する格納部である。シリーズ番組予約テーブル４２には、シリーズ番組の予約情報が格納される。シリーズ番組録画履歴テーブル４３は、シリーズ番組の録画履歴を格納する格納部である。シリーズ番組録画履歴テーブル４３は、図４に示すようにシリーズ毎にテーブルが作成される。通知設定記憶部４４は、図５に示すように通知部３７による通知タイミング、通知方法等が格納する記憶部である。
【００４０】
続いて、本実施の形態にかかる動画像録画装置のシリーズ番組の録画予約処理を図６のフローチャートを参照して説明する。ＥＰＧ処理部３１は、分離部１２またはインターネット経由により電子番組表（ＥＰＧ）データを取得する（Ｓ１１）。
【００４１】
シリーズ番組処理部３４は、シリーズ番組予約テーブル４２及びシリーズ番組録画履歴テーブル４３を参照し、番組情報が１つ以上存在するか否かを判定する（Ｓ１２）。番組情報が一つも存在しない場合（Ｓ１２：Ｎｏ）、シリーズ番組処理部３４は、処理を終了する。
【００４２】
番組情報が一つ以上存在する場合（Ｓ１２：Ｙｅｓ）、シリーズ番組処理部３４は、そのシリーズ番組の中でシリーズ番組予約テーブル４２及びシリーズ番組録画履歴テーブル４３に存在していない放送回を検索する（Ｓ１３）。当該検索により録画及び録画予約が行われていない放送回が存在しない場合（Ｓ１４：Ｎｏ）、シリーズ番組処理部３４は、処理を終了する。
【００４３】
一方、当該検索により録画及び録画予約が行われていない放送回が存在する場合（Ｓ１４：Ｙｅｓ）、シリーズ番組処理部３４は、電子番組表データから当該放送回の情報を検索する（Ｓ１５）。電子番組表データ内に当該放送回の情報が無い場合（Ｓ１６：Ｎｏ）、シリーズ番組処理部３４は、処理を終了する。
【００４４】
電子番組表データ内に当該放送回の情報がある場合（Ｓ１６：Ｙｅｓ）、シリーズ番組処理部３４は、電子番組表データから抽出した当該放送回の情報をシリーズ番組予約テーブル４２に登録する（Ｓ１７）。すなわち、シリーズ番組処理部３４は、新規の予約処理を行う。
【００４５】
次に、本実施の形態にかかる動画像録画装置のシリーズ番組に関する通知処理について図７を参照して説明する。録画部３５は、計時部３２、予約テーブル４１、シリーズ番組予約テーブル４２を参照して録画処理を行う。この際、録画部３５は、シリーズ番組の録画処理を行ったか否かを判定する（Ｓ２１）。シリーズ番組の録画処理ではない場合（Ｓ２１：Ｎｏ）、録画部３５は、処理を終了する。
【００４６】
シリーズ番組の録画処理を行った場合（Ｓ２１：Ｙｅｓ）、録画部３５は、録画処理が正常に終了したか否かを判定する（Ｓ２２）。録画処理が正常に終了しなかった場合（Ｓ２２：Ｎｏ）、録画部３５は当該放送回の情報をシリーズ番組録画予約テーブル４２から削除して処理を終了する（Ｓ２７）。
【００４７】
録画処理が正常に終了した場合（Ｓ２２：Ｙｅｓ）、録画部３５は、録画した放送回の情報をシリーズ番組録画履歴テーブル４３に格納する（Ｓ２３）。その後、録画部３５は、録画した放送回の情報（シリーズ番組名、放送回等）をシリーズ番組録画判定部３６に通知する。
【００４８】
シリーズ番組録画判定部３６は、通知されたシリーズ番組のシリーズ番組録画履歴テーブル４３内に最終回識別子が"○"（最終話）であるデータ行が存在するか否かを判定する（Ｓ２４）。最終回識別子が"○"（最終話）であるデータ行が存在しない場合（Ｓ２４：Ｎｏ）、録画部３５は、当該放送回の情報をシリーズ番組録画予約テーブルから削除して処理を終了する（Ｓ２７）。
【００４９】
最終回識別子が"○"（最終話）であるデータ行が存在する場合（Ｓ２４：Ｙｅｓ）、シリーズ番組録画判定部３６は、シリーズ番組録画履歴テーブル４３から最終回識別子が"○"であるデータ列の放送回の情報（例えば"７"）を抽出する。そして、シリーズ番組録画判定部３６は、当該放送回の情報と同数のデータ列がシリーズ番組録画履歴テーブル４３内に存在するかを判定する（Ｓ２５）。すなわち、シリーズ番組録画判定部３６は、シリーズ番組の全放送回の録画が終了しているか否かを判定する。
【００５０】
シリーズ番組の全放送回の録画が終了していない場合（Ｓ２５：Ｎｏ）、録画部３５は、録画した放送回の情報をシリーズ番組録画予約テーブル４３から削除して処理を終了する（Ｓ２７）。
【００５１】
シリーズ番組の全放送回の録画が終了している場合（Ｓ２５：Ｙｅｓ）、シリーズ番組録画判定部３６は、通知部３７に通知処理の指示を行う。通知部３７は、ユーザに対してシリーズ番組の全放送回の録画が終了したことを画面表示等により通知する（Ｓ２６）。その後、録画部３５は、録画した放送回の情報をシリーズ番組録画予約テーブル４３から削除して処理を終了する（Ｓ２７）。
【００５２】
続いて、本実施の形態にかかる動画像録画装置の効果について説明する。上述のようにシリーズ番組についての録画状況を判定し、当該判定結果をユーザに通知するため、ユーザはシリーズ番組の録画状況を容易に把握できる。特に、シリーズ番組の全放送回の録画が終了した場合に通知を行うことにより、ユーザはシリーズ番組を一度に閲覧することが容易になる。
【００５３】
さらに、通知頻度や通知方法をユーザが設定できるため、ユーザは希望する通知頻度及び通知方法により通知部３７からの通知を受信することができる。
【００５４】
なお、本発明は上記実施の形態に限られたものではなく、趣旨を逸脱しない範囲で適宜変更することが可能である。
【００５５】
上述した録画処理部２０の各処理を任意のコンピュータ内で動作するプログラムとして実現してもよい。プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５６】
１  動画像録画装置
１０  放送受信部
１１  復調部
１２  分離部
１３  切り替え部
２０  メインコントローラ
３０  録画処理部
３１  ＥＰＧ処理部
３２  計時部
３３  予約処理部
３４  シリーズ番組処理部
３５  録画部
３６  シリーズ番組録画判定部
３７  通知部
４０  記録部
４１  予約テーブル
４２  シリーズ番組予約テーブル
４３  シリーズ番組録画履歴テーブル
１００  リモートコントローラ
１１０  表示部
【図１】
2012080201.tif 000003
【図２】
2012080201.tif 000004
【図３】
2012080201.tif 000005
【図４】
2012080201.tif 000006
【図５】
2012080201.tif 000007
【図６】
2012080201.tif 000008
【図７】
2012080201.tif 000009